(57)【要約】【課題】蓋を引き上げるようにして持ち運び且つ蓋の取り外しが容易な浄水器を提供する。【解決手段】浄水器１００、１１０、２００は、カートリッジ１０によってろ過された浄水を貯留する、所定の輪郭形状を有する底面と、当該底面の周囲から上方に延在する側壁２８、２８’とを有し、上部に開口２２を有する有底筒状に形成された本体容器２０と、前記側壁の互いに対向する箇所から、互いに離反する方向及び接近する方向の何れか一方に張り出した、少なくとも１組の鍔部２４と、前記本体容器２０に装着される蓋３０とを備え、前記蓋３０は、取っ手３２を有する面部分３４に設けられて前記蓋３０の装着状態において前記鍔部２４の下部に位置して、前記蓋３０の上方移動において前記鍔部２４とそれぞれ係合する爪部３６とを有し、前記蓋３０は前記本体容器２０に対して水平な第１の方向Ａｒに平行にスライド移動して着脱可能である。【選択図】図２
2014069154.tif 000002
【特許請求の範囲】
【請求項１】
所定の輪郭形状を有する底面と、当該底面の周囲から上方に延在する側壁とを有し、供給される原水をろ過するカートリッジを内部に収容するとともに、前記カートリッジでろ過された浄水を貯留できるように、上部に開口を有する有底筒状に形成された本体容器と、
前記側壁の互いに対向する箇所から、互いに離反する方向及び接近する方向の何れか一方に張り出した、少なくとも１組の鍔部と、
前記本体容器に対して水平な第１の方向に平行にスライド移動可能に前記開口に装着される蓋とを備え、
前記１組の鍔部の外周端面は前記第１の方向に平行であり、
前記蓋は、外面側に取っ手を有する面部分と、当該面部分に設けられて前記蓋の装着状態において前記鍔部の下部に位置して、前記蓋の鉛直上方移動において前記鍔部とそれぞれ鉛直方向に係合する爪部とを有し、
前記鍔部と前記爪部との間には、前記蓋の装着状態において、鉛直方向の間隙が存するとともに、前記蓋は着脱可能であることを特徴とする浄水器。
【請求項２】
前記鍔部が張り出す箇所を含む側壁は、互いに平行であることを特徴とする、請求項１に記載の浄水器。
【請求項３】
前記鍔部および前記爪部は、前記側壁間の中心線に関して線対称位置にあることを特徴とする、請求項２に記載の浄水器。
【請求項４】
前記鍔部が張り出す箇所は、前記側壁の外周面に含まれることを特徴とする、請求項１、２、及び３のいずれかに記載の浄水器。
【請求項５】
前記鍔部が張り出す箇所は、前記側壁の内周面に含まれることを特徴とする、請求項１、２、及び３のいずれかに記載の浄水器。
【請求項６】
前記鍔部が張り出す箇所は、前記側壁の、前記開口の周縁に位置することを特徴とする、請求項１、２、３、４、及び５のいずれかに記載の浄水器。
【請求項７】
前記鍔部の下面には溝部が設けられ、
前記爪部の面には凸条部が設けられ、
前記蓋の鉛直上方への移動によって、前記溝部と前記凸条部とが嵌合することを特徴とする、請求項１、２、３、４、５、及び６のいずれかに記載の浄水器。
【請求項８】
前記溝部に、弾性シール材が設けられていることを特徴とする、請求項７に記載の浄水器。
【請求項９】
前記蓋と前記本体容器とには、前記装着状態の蓋の移動を規制する、互いに係合する凸部或いは凹部の一方が設けられていることを特徴とする請求項１、２、３、４、５、６、７、及び８のいずれかに記載の浄水器。
【請求項１０】
前記鍔部は前記第１の方向に延在していることを特徴とする、請求項１、２、３、４、５、６、７、８、及び９のいずれかに記載の浄水器。
【請求項１１】
前記鍔部は前記第１の方向に所定の間隔で離間して設けられていることを特徴とする、請求項１、２、３、４、５、６、７、８、９、及び１０のいずれかに記載の浄水器。
【発明の詳細な説明】
【技術分野】
【０００１】
本発明は、主に家庭で水道水のろ過に用いられる浄水器、特にポット型浄水器に関する。
【背景技術】
【０００２】
従来から、一度容器に貯めた水道水をフィルターでろ過し、得られた浄水を貯水する浄水器が知られている。家庭用浄水器として広く用いられている浄水器の一例として、特許文献１に提案されている浄水器１０００を図９に示す。同図において、注ぎ口１０４２を左側にして、浄水器１０００を横から見た状態を示す。浄水器１０００は、カートリッジ１００２と、本体容器１０１１と、蓋１０１３とを備えている。
【０００３】
注ぎ口１０４２の反対側（図９において右側）の、本体容器１０１１の側面に、持ち手部１０４１が設けられている。カートリッジ１００２は原水容器１１１２に供給された原水をろ過する。本体容器１０１１は上部に開口を有する有底筒状に形成されており、カートリッジ１００２を内部に収容するとともに、カートリッジ１００２でろ過された浄水を貯留する。
【先行技術文献】
【特許文献】
【０００４】
【特許文献１】特開２０１０−１６２５１３号公報
【発明の概要】
【発明が解決しようとする課題】
【０００５】
しかしながら、浄水を貯留した浄水器１０００は、全体としてかなりの重量を有する。よって、持ち手部１０４１を片手で持って、冷蔵庫などの保管場所から浄水器１０００を取り出すのは、困難を伴う。また、従来のこの種の浄水器では、蓋は上下方向に取り外せる構造が多く、蓋の部分を持って上に引き上げて、浄水器を保管場所から取り出したり、運んだりすることはできない。
【０００６】
そのため、蓋を持って取り出しや持ち運びができるように、蓋に取っ手がある浄水器も登場しているが、その場合、蓋は本体容器にネジ止めなどでしっかり固定されているので、今度は蓋を容易に取り外しできない。
【０００７】
本発明の目的は、上述のような問題点に鑑み、蓋を引き上げるようにして持ち運び且つ蓋の取り外しが容易な浄水器を提供することにある。
【課題を解決するための手段】
【０００８】
上記の課題を解決する為に、本発明に係る浄水器は、
所定の輪郭形状を有する底面と、当該底面の周囲から上方に延在する側壁とを有し、供給される原水をろ過するカートリッジを内部に収容するとともに、前記カートリッジでろ過された浄水を貯留できるように、上部に開口を有する有底筒状に形成された本体容器と、
前記側壁の互いに対向する箇所から、互いに離反する方向及び接近する方向の何れか一方に張り出した、少なくとも１組の鍔部と、
前記本体容器に対して水平な第１の方向に平行にスライド移動可能に前記開口に装着される蓋とを備え、
前記１組の鍔部の外周端面は前記第１の方向に平行であり、
前記蓋は、外面側に取っ手を有する面部分と、当該面部分に設けられて前記蓋の装着状態において前記鍔部の下部に位置して、前記蓋の鉛直上方移動において前記鍔部とそれぞれ鉛直方向に係合する爪部とを有し、
前記鍔部と前記爪部との間には、前記蓋の装着状態において、鉛直方向の間隙が存するとともに、前記蓋は着脱可能である。
【発明の効果】
【０００９】
本発明に係る浄水器は、蓋の着脱が容易でありながら、持ち運びの際には蓋と本体容器とが係合することにより、安定して取り扱うことができる。
【図面の簡単な説明】
【００１０】
【図１】本発明の実施の形態１に係る浄水器を示す斜視図である。
【図２】図１の浄水器に蓋を装着する方法の説明図である。
【図３】図１において直線ＩＩＩ−ＩＩＩで切った浄水器の蓋を中心とする部分拡大図である。
【図４】図３における、ＩＶ−ＩＶ部分の拡大図である。
【図５】図４に示す浄水器の、蓋が本体容器に嵌合した状態を示す部分拡大図である。
【図６】図４と同様に、実施の形態１の変形例である本体容器と蓋との係合状態を示す部分拡大図である。
【図７】本発明の実施の形態２に係る浄水器を示す斜視図である。
【図８】図７において、矢印ＶＩＩＩが示す方向に見た、蓋と本体容器との係合状態を示す拡大図である。
【図９】従来の浄水器の説明図である。
【発明を実施するための形態】
【００１１】
（実施の形態１）
以下に図１、図２、図３、図４、図５、及び図６を参照して、本発明の実施の形態１に係る浄水器について説明する。まず図１、図２、図３、図４、及び図５を参照して本実施の形態に係る浄水器の構成について説明する。その後図６を参照して、本実施の形態に係る浄水器の変形例の構成について説明する。
【００１２】
図１に示すように、浄水器１００は、本体容器２０と、蓋３０とを含む。本体容器２０は、カートリッジ１０（図２）を内部に収容するとともに、カートリッジ１０によってろ過された浄水を貯留する。本体容器２０は、上部に開口２２（図２）を有する有底筒状に形成され、所定の輪郭形状を有する底面と、当該底面の周囲から上方に延在する側壁２８とを有する。本実施の形態において、本体容器２０の横断面（底面及び開口２２それぞれの輪郭形状）は互いに平行な二辺を有する長円形である。蓋３０は、本体容器２０に装着されて、本体容器２０の開口２２をふさぐ。蓋３０の本体容器２０に対する装着は、蓋３０を本体容器２０に対して水平な第１の方向Ａｒ（図２）に平行にスライド移動させることにより行われる。
【００１３】
本体容器２０の側面には取っ手（不図示）が設けられている。蓋３０は、本体容器２０の横断面と略同じ形状の面部分３４を備え、面部分３４に取っ手３２が設けられている。浄水器１００を冷蔵庫等の保管場所から取り出したり、持ち運んだりする際には取っ手３２を持つようにすれば、側面に設けられた取っ手を持つ場合と比較して、水が入っている状態の浄水器１００の取扱いが容易になる。
【００１４】
図２に示すように、蓋３０は、面部分３４の周縁から本体容器２０の互いに平行な側壁２８及び２８’（図３）のそれぞれと略平行に延出している側面部３６ｏ及び３６ｏ’（図３）を備える。側面部３６ｏ及び３６ｏ’は、面部分３４の周縁の一部に沿って連続的に設けられる。側面部３６ｏ及び３６ｏ’の端部には、一対の係合斜面３８及び３８’（不図示）が形成されている。本体容器２０の側面には、係合斜面３８及び３８’のそれぞれと当接して係合する形状の、一対の係合斜面２６及び２６’が形成されている。説明の簡便化の為に、特に必要の無い限り、係合斜面２６及び２６’、側壁２８及び２８’、側面部３６ｏ及び３６ｏ’、及び係合斜面３８及び３８’はそれぞれ係合斜面２６、側壁２８、側面部３６ｏ、及び係合斜面３８と総称する。
【００１５】
次に、図２を参照して、蓋３０の本体容器２０への装着方法について説明する。蓋３０は、本体容器２０に載置されて、本体容器２０の底面に略平行な方向Ａｒ（以降、「スライド方向Ａｒ」）にスライドさせられることにより、蓋３０は本体容器２０に順次係合されて、係合斜面３８が係合斜面２６と当接する時点で係合が完了して装着される。本体容器２０に水が入っている場合は、蓋３０のスライド方向Ａｒは、浄水器１００が水平面に載置された状態で水平面と略平行である。蓋３０は、係合斜面３８が本体容器２０の係合斜面２６と係合することにより案内されると共に、スライド方向Ａｒにおいて位置決めされる。蓋３０と本体容器２０とには、好ましくは、装着状態の蓋３０のスライド方向Ａｒの移動を規制する、互いに係合する凸部或いは凹部（不図示）の一方が設けられている。
【００１６】
蓋３０を本体容器２０から取り外す場合は、蓋３０をスライド方向Ａｒにおいて装着時とは逆の向き（反スライド方向）にスライドさせればよい。つまり、蓋３０の本体容器２０に対する着脱に必要な動作は蓋３０のスライドのみであるので、着脱が容易に行える。
【００１７】
図３、図４、及び図５を参照して、蓋３０と本体容器２０との係合状態について説明する。図３は、図１において、蓋３０の面部分３４の長軸と直交する直線ＩＩＩ−ＩＩＩで切った浄水器１００の上部断面を示す。蓋３０は、側面部３６ｏの内周面が、本体容器２０の側面に対向する状態で、本体容器２０に装着される。本体容器２０は、側壁２８及び２８’の互いに対向する箇所から、互いに離反する方向及び接近する方向の何れか一方に張り出した、少なくとも１組の鍔部２４及び２４’を備える。
【００１８】
図４は、図３におけるＩＶ−ＩＶ部分、つまり浄水器１００の断面における、側面部３６ｏ及び側壁２８側を示す。鍔部２４は、本体容器２０の上端部の周縁２９から略水平方向に張り出した鍔部本体２４ｔと、鍔部本体２４ｔの端部から略垂直方向に延出された鍔部側面部２４ｏとを含む。鍔部２４と本体容器２０の側壁２８とは概ねＣ字状断面形状を構成して、内部に溝部Ｓが形成されている。鍔部２４の外周端面である鍔部側面部２４ｏは前記第１の方向（スライド方向）Ａｒ（図２）に平行に延在する。鍔部２４は、本体容器２０の上端部の周縁２９の一部分に沿って連続的に設けられる。また鍔部２４は、本体容器２０の底面の長軸及び開口２２の輪郭形状の長軸に関して線対称に形成されている。なお、上述した通り、側面部３６ｏ’及び側壁２８’側も、側面部３６ｏ及び側壁２８側と同様に構成されている。
【００１９】
本例においては、鍔部２４は本体容器２０の外周面における上端部の周縁２９から互いに離反する方向（略水平方向）に張り出している。しかし、鍔部２４は側壁２８の内周面から互いに接近する方向に張り出すように設けても良い。また、鍔部２４は完全に水平でなく所定の角度を有して斜め方向に延在するように設けても良い。さらに、鍔部２４は本体容器２０の外周面の上端部からではなく、側壁２８の外周面において周縁２９よりも所定の長さだけ下方の位置から張り出すように設けてもよい。
【００２０】
蓋３０は、側面部３６ｏの下端から概ね水平方向に延出された爪部３６を備える。爪部３６は、爪部本体３６ｂと、凸条部３６ｉとを含む。爪部本体３６ｂは、側面部３６ｏの下端から、本体容器２０の側面に向かってスライド方向Ａｒに垂直な略水平方向に延出されている。凸条部３６ｉは爪部本体３６ｂの端部から本体容器２０の鍔部２４に向かって略垂直方向に延出されている。側面部３６ｏと凸条部３６ｉとは略平行に形成され、側面部３６ｏと凸条部３６ｉそれぞれが、爪部本体３６ｂと略垂直に形成されている。つまり、側面部３６ｏと凸条部３６ｉと爪部本体３６ｂとは概ねＣ字状断面形状を構成して、内部に空間Ｓｐが形成されている。爪部３６は、蓋３０の面部分３４の周縁２９の一部にスライド方向Ａｒに沿って連続的に設けられている。
【００２１】
なお、側面部３６ｏ’及び側壁２８’側においても、同様に爪部３６’（不図示）及び鍔部２４’（不図示）が、対称に形成されている。爪部３６’及び鍔部２４’に関しても、特に必要のない限り爪部３６及び鍔部２４と総称して説明する。
【００２２】
蓋３０は本体容器２０に、凸条部３６ｉが溝部Ｓに、鍔部側面部２４ｏが空間Ｓｐに、それぞれ対向する状態で装着される。凸条部３６ｉの上端面と鍔部本体２４ｔの下面との間には、所定の長さの間隙Ｇ１が形成されている。
【００２３】
図５に示すように、浄水器１００を保管場所から取り出したり、持ち運んだりする際にユーザーが取っ手３２（図１）を持って上方に引き上げると、蓋３０が略鉛直方向に沿って上方に移動させられる。蓋３０の移動によって、凸条部３６ｉの上端面が鍔部本体２４ｔの下面に当接して、凸条部３６ｉと鍔部本体２４ｔとが係合する。つまり、凸条部３６ｉが溝部Ｓ（図４）に嵌合し、蓋３０が本体容器２０に対して鉛直方向において固定される。なおスライド方向Ａｒにおいては、上述したように、蓋３０は本体容器２０に対して、係合斜面３８と係合斜面２６との係合により位置決めされている。
【００２４】
このように構成された浄水器１００は、持ち上げられたり持ち運ばれたりする際に、蓋３０が不用意に本体容器２０から外れることがない。また、蓋３０が本体容器２０に対して鉛直方向において固定されるのは蓋３０に対して上方に移動させる力が働いている状態においてのみであり、蓋３０の本体容器２０に対する着脱の妨げにはならない。
【００２５】
なお本実施の形態において、本体容器２０は互いに平行な側壁２８及び２８’を備えるが、蓋３０をスライド移動させて本体容器２０に着脱するためには、鍔部２４及び２４’それぞれの外周端面である鍔部側面部２４ｏ及び２４ｏ’（不図示）が互いに平行であればよい。鍔部側面部２４ｏの外周面が、蓋３０の側面部３６ｏの内面と相互に摺動することにより、蓋３０のスライド移動が実現される。このように、鍔部２４及び２４’それぞれの摺動面（外周面）が互いに平行（鍔部２４は水平に延在）或いは対称（鍔部２４が斜め方向に延在）であれば、本体容器２０の側壁２８及び２８’は必ずしも平行でなくてよい。例えば、有底筒状の本体容器２０の底面を、円形、多角形、あるいは不定形等の形状を有するように構成してもよい。
【００２６】
次に図６を参照して、本実施の形態に係る浄水器の変形例の構成について説明する。浄水器１１０においては、本体容器２０の鍔部２４により規定される溝部Ｓに、所定の厚さを有する弾性シール材２７（及び２７’、図６においては省略）が配置されている。蓋３０が本体容器２０に装着された状態で、凸条部３６ｉの上端面と弾性シール材２７の下面との間には、所定の長さの間隙Ｇ２が形成されている。
【００２７】
浄水器１１０において、蓋３０が本体容器２０に対して鉛直方向において固定される。つまり凸条部３６ｉが溝部Ｓに嵌合した状態では、弾性シール材２７が鍔部本体２４ｔ（図５）の下面と凸条部３６ｉの上端面との間で圧縮される。このように構成された浄水器１１０は、弾性シール材２７と凸条部３６ｉの上端面との間で働く摩擦力によって、蓋３０が不用意に本体容器２０から外れる可能性がさらに低くなる。また、浄水器１１０の内部の原水または浄水が不用意に外部に漏れることが防止される。
【００２８】
なお、弾性シール材２７は凸条部３６ｉの上端面に配置してもよい。また、弾性シール材２７の厚さを変化させることにより、間隙Ｇ２の長さを変化させてもよい。この場合、鍔部２４における、蓋３０を本体容器２０に装着する際の入口側として機能する箇所における間隙Ｇ２の長さが、他の箇所における間隙の長さよりも大きいように設定すると、蓋３０の本体容器２０に対する装着がより安定する。
【００２９】
（実施の形態２）
以下に図７及び図８を参照して、本発明の実施の形態２に係る浄水器について説明する。浄水器２００は、本体容器の鍔部及び蓋の爪部それぞれの構造及び配置を除いて基本的に実施の形態１に係る浄水器１００及び１１０と同様に構成されている。以下、実施の形態１との相違点に重点を置いて、浄水器２００について説明する。
【００３０】
図７に示すように、浄水器２００は、本体容器５０と蓋６０とを含む。本実施の形態において本体容器５０の断面は略矩形であり、蓋６０の面部分６４も略矩形である。本体容器５０は、本体容器５０の側壁５８の上端部の周縁５９から水平（スライド方向Ａｒに垂直）に延出している鍔部５４を有する。鍔部５４は、本体容器５０の側壁５８、５８’（図８）間の中心線に関して線対称になる位置に設けられている。図７に示す例では、本体容器５０は４個（２組）の鍔部５４を有する。
【００３１】
蓋６０は、面部分６４の周縁から本体容器５０の側面と略平行に延出する側面部６６ｏを備える。側面部６６ｏの下端からは、爪部６６が概ね水平方向に延出されている。爪部６６は、面部分６４の長軸に関して線対称になる位置に設けられている。図７に示す例では、蓋６０は４個（２組）の爪部６６を有する。
【００３２】
図８を参照して、鍔部５４及び爪部６６の構造について説明する。鍔部５４は、本体容器５０の側壁５８の上端部の周縁５９から略水平方向に延出されており、いわば、実施の形態１に係る鍔部２４から鍔部側面部２４ｏを取り除いたような形状に構成されている。爪部６６は、側面部６６ｏの下端から略水平方向に延出されており、いわば、実施の形態１に係る爪部３６から凸条部３６ｉを取り除いたような形状に構成されている。蓋６０が本体容器５０に装着された状態で、爪部６６の上面と鍔部５４の下面との間には、所定の長さの間隙Ｇ３が形成されている。蓋６０と本体容器５０とには、好ましくは、装着状態の蓋６０のスライド方向Ａｒの移動を規制する、互いに係合する凸部或いは凹部（不図示）の一方が設けられている。
【００３３】
上記のように構成された浄水器２００を持ち上げたり、持ち運んだりする際にユーザーが取っ手６２を持って上方に引き上げると、蓋６０が略鉛直方向に沿って上方に移動させられる。蓋６０の移動によって、爪部６６の上端面が鍔部５４の下面に当接して係合し、実施の形態１に係る浄水器１００と同様に、蓋６０が本体容器５０に対して鉛直方向において固定される。
【００３４】
なお、鍔部５４は、本体容器５０の側壁５８において周縁５９よりも所定の長さだけ下方の位置から略水平方向に張り出すように構成されてもよい。また鍔部５４は、側壁５８の内周面における所定の位置から、本体容器５０の内部に向かって略水平方向に張り出すように構成されてもよい。
【産業上の利用可能性】
【００３５】
本発明は、家庭で水道水のろ過に用いられる浄水器に利用することができる。
【符号の説明】
【００３６】
１００、１１０、２００  浄水器
１０  カートリッジ
２０、５０  本体容器
２２  開口
２８、５８  側壁
２４、２４’、５４  鍔部
２４ｔ  鍔部本体
２４ｏ  鍔部側面部
２６、２６’、３８、３８’  係合斜面
２７、２７’  弾性シール材
２９、５９  周縁
３０、６０  蓋
３２、６２  取っ手
３４、６４  面部分
３６ｂ  爪部本体
３６ｏ、３６ｏ’、６６ｏ、６６ｏ’  側面部
Ｓ  溝部
Ｓｐ  空間
３６、６６  爪部
３６ｉ  凸条部
Ｇ１、Ｇ２  間隙
Ａｒ  スライド方向
【図１】
2014069154.tif 000003
【図２】
2014069154.tif 000004
【図３】
2014069154.tif 000005
【図４】
2014069154.tif 000006
【図５】
2014069154.tif 000007
【図６】
2014069154.tif 000008
【図７】
2014069154.tif 000009
【図８】
2014069154.tif 000010
【図９】
2014069154.tif 000011